(57)【特許請求の範囲】
【請求項１】
記録媒体を支持して駆動する駆動機構に上記記録媒体を保持するチャッキング機構を有し、
上記駆動機構の記録媒体載置面の中心部に記録媒体の中心孔を嵌合支持するチャックベースを突設させ、該チャックベースに複数の押圧部をチャックベースの半径方向に移動自在に設けると共に、上記押圧部の一部がチャックベースの外周面から突出するように弾発付勢する弾発部材を設け、
上記押圧部は、その先端が上記記録媒体載置面から離れる方向へは回動不能にされ、
上記記録媒体を上記チャッキング機構から取り外すときは、上記押圧部の先端部が上記記録媒体の中心孔の開口縁に押圧されて上記弾発部材による付勢力に抗してチャックベース内へ引っ込むように移動し、上記記録媒体の上記記録媒体載置面から離間する方向への移動を許容するようにされると共に、
上記押圧部は、その先端が上記記録媒体載置面の方向へは回動可能にされ、
上記記録媒体を上記駆動機構に装着するときは、上記押圧部の先端部が上記記録媒体の中心孔の開口縁に押圧されて回動し、上記記録媒体の上記記録媒体載置面の方向への移動を許容するようにされた
ことを特徴とする記録媒体駆動装置。
【請求項２】
上記記録媒体は、その中心孔の開口縁を上記押圧部の先端部と上記記録媒体載置面とで挟持することによって上記駆動機構にチャッキングするようにされた
ことを特徴とする請求項１に記載の記録媒体駆動装置。
【請求項３】
記録媒体を支持して駆動する駆動機構に上記記録媒体を保持する記録媒体のチャッキング機構であって、
上記駆動機構の記録媒体載置面の中心部に記録媒体の中心孔を嵌合支持するチャックベースを突設させ、該チャックベースに複数の押圧部をチャックベースの半径方向に移動自在に設けると共に、上記押圧部の一部がチャックベースの外周面から突出するように弾発付勢する弾発部材を設け、
上記押圧部は、その先端が上記記録媒体載置面から離れる方向へは回動不能にされ、
上記記録媒体を上記チャッキング機構から取り外すときは、上記押圧部の先端部が上記記録媒体の中心孔の開口縁に押圧されて上記弾発部材による付勢力に抗してチャックベース内へ引っ込むように移動し、上記記録媒体の上記記録媒体載置面から離間する方向への移動を許容するようにされると共に、
上記押圧部は、その先端が上記記録媒体載置面の方向へは回動可能にされ、
上記記録媒体を上記駆動機構に装着するときは、上記押圧部の先端部が上記記録媒体の中心孔の開口縁に押圧されて回動し、上記記録媒体の上記記録媒体載置面の方向への移動を許容するようにされた
ことを特徴とする記録媒体のチャッキング機構。
【発明の詳細な説明】
【０００１】
【発明の属する技術分野】
本発明は新規な記録媒体駆動装置及び記録媒体のチャッキング機構に関する。詳しくは、記録媒体ディスクをそれを支持して回転させるターンテーブルに保持するためのチャッキング機構において、チャッキング時において記録媒体ディスクのチャッキング機構や記録再生装置の各部に掛かる負荷を軽減する技術に関する。
【０００２】
【従来の技術】
円板状をした記録媒体ディスクを回転させながら、該記録媒体ディスクについての情報の記録又は再生及びその双方を行なう記録再生装置において、記録媒体ディスクを回転させるためのターンテーブルに記録媒体ディスクを保持する、すなわち、チャッキングする機構に、図２３乃至図２５に示すようなものがある。
【０００３】
チャッキング機構ａは、図示しないスピンドルモータによって回転されるターンテーブルｂのディスク載置面ｃの中心部に厚手の円板状の外形を有するチャックベースｄを設け、該チャックベースｄに３個のチャックフィンｅ、ｅ、ｅをチャックベースｄの半径方向に移動自在に設けると共に、上記チャックフィンｅ、ｅ、ｅの一部がチャックベースｄの外周面から突出するように弾発付勢したものである。
【０００４】
すなわち、各チャックフィンｅは、それを配置するためにチャックベースｄにその外周面に開口するように形成された配置凹部ｆ内にチャックベースｄの半径方向に摺動自在に配置され、該チャックフィンｅと配置凹部ｆの奥面との間に縮設されたコイルバネｇによってその先端部がチャックベースｄの外周面から突出する方向に弾発付勢されている。
【０００５】
そして、上記コイルバネｇはその一端部がチャックフィンｅの後面に突設された嵌合ピンｈに外嵌され、また、他端部が配置凹部ｆの奥面に形成された嵌合凹部ｉに内嵌され、これによって、コイルバネｇの両端部の位置決めがなされ、動作中においてその両端部が所定の位置からずれてしまうことが無いようにされている。
【０００６】
そして、記録媒体ディスクのチャッキングは以下のようにして為される。
【０００７】
すなわち、記録媒体ディスクｊがその中心孔ｋがチャックベースｄに外嵌されるように、ターンテーブルｂに近づいて来て、その中心孔ｋの開口縁部がチャックフィンｅ、ｅ、ｅの先端部の上側の傾斜面ｌ、ｌ、ｌに当接する（図２３参照）。
【０００８】
そこからさらに、記録媒体ディスクｊがディスク載置面ｃに近付くように移動すると、中心孔ｋの開口縁部がチャックフィンｅ、ｅ、ｅの上記傾斜面ｌ、ｌ、ｌを押圧するので、チャックフィンｅ、ｅ、ｅにはチャックベースｄ内へ引っ込む方向への移動力が付勢され、これによって、チャックフィンｅ、ｅ、ｅはコイルバネｇ、ｇ、ｇによる付勢力に抗して、チャックベースｄ内へ引っ込むように移動する（図２４参照）。
【０００９】
チャックフィンｅ、ｅ、ｅがチャックベースｄ内へ引っ込むように移動することによって、記録媒体ディスクｊはさらにディスク載置面ｃへと近付くことができ、記録媒体ディスクｊがディスク載置面ｃに載置されると、チャックフィンｅ、ｅ、ｅがコイルバネｇ、ｇ、ｇによって付勢されている移動力によってその先端部がチャックベースｄの外周面から突出し、その先端部下面の曲面ｍ、ｍ、ｍが記録媒体ディスクｊの中心孔ｋの開口縁部にディスク載置面ｃと反対側から弾接し（図２５参照）、これによって、記録媒体ディスクｊはディスク載置面ｃとチャックフィンｅ、ｅ、ｅとによって挟持された状態でチャッキングされる。
【００１０】
そして、記録媒体ディスクｊをターンテーブルｂから取り外す時は、記録媒体ディスクｊをディスク載置面ｃから離間する方向へ移動させる。すると、記録媒体ディスクｊの中心孔ｋの開口縁部がチャックフィンｅ、ｅ、ｅの下側の曲面ｍ、ｍ、ｍを押圧するので、チャックフィンｅ、ｅ、ｅは配置凹部ｆ、ｆ、ｆ内へ引っ込むように移動し、これによって、記録媒体ディスクｊはチャックフィンｅ、ｅ、ｅの位置を抜けてターンテーブルｂから取り外される。
【００１１】
【発明が解決しようとする課題】
上記したチャッキング機構ａにあっては、チャックフィンｅ、ｅ、ｅががチャックベースｄ内に引っ込むように移動して記録媒体ディスクｊの通過を許容するので、記録媒体ディスクｊの移動方向に対して直交する方向へチャックフィンｅ、ｅ、ｅを移動させることになり、力の伝達ロスが大きく、従って、記録媒体ディスクｊを強い力でターンテーブルｂの方向へ移動させなければならない。そのために、強い力に絶えられるように、記録再生装置の各部の剛性を高くする必要があり、また、チャックフィンｅの上側の傾斜面ｌを４５°以上になるようきつくする必要があり、傾斜面ｌの高さが必要になる。このことが装置の小型化、薄型化の障害となっていた。
【００１２】
そこで、本発明は、チャッキング時において記録媒体ディスクのチャッキング機構や記録再生装置の各部にに掛かる負荷を軽減することを課題とする。
【００１３】
【課題を解決するための手段】
本発明記録媒体駆動装置及び記録媒体のチャッキング機構は、上記した課題を解決するために、記録媒体を支持して駆動する駆動機構に上記記録媒体を保持し、上記駆動機構の記録媒体載置面の中心部に記録媒体の中心孔を嵌合支持するチャックベースを突設させ、該チャックベースに複数の押圧部をチャックベースの半径方向に移動自在に設けると共に、上記押圧部の一部がチャックベースの外周面から突出するように弾発付勢する弾発部材を設け、上記押圧部は、その先端が上記記録媒体載置面から離れる方向へは回動不能にされ、上記記録媒体を上記チャッキング機構から取り外すときは、上記押圧部の先端部が上記記録媒体の中心孔の開口縁に押圧されて上記弾発部材による付勢力に抗してチャックベース内へ引っ込むように移動し、上記記録媒体の上記記録媒体載置面から離間する方向への移動を許容するようにされると共に、上記押圧部は、その先端が上記記録媒体載置面の方向へは回動可能にされ、上記記録媒体を上記駆動機構に装着するときは、上記押圧部の先端部が上記記録媒体の中心孔の開口縁に押圧されて回動し、上記記録媒体の上記記録媒体載置面の方向への移動を許容するようにされたものである。
【００１４】
従って、記録媒体をチャッキング機構から取り外すときには、押圧部の先端部が記録媒体の中心孔の開口縁に押圧されて弾発部材による付勢力に抗してチャックベース内へ引っ込むように移動し、記録媒体の記録媒体載置面から離間する方向への移動を許容すると共に、記録媒体を駆動機構に装着するときは、押圧部の先端部が記録媒体の中心孔の開口縁に押圧されて回動し、記録媒体の記録媒体載置面の方向への移動を許容するので、記録媒体の取り外し及び装着のために大きな力を必要としない。そのために、記録媒体のチャッキング機構からの取り外し及び駆動機構への装着をより簡単に行なうことができると共に、装置の各部の剛性を低くすることが出来、そのために、装置の小型化及び薄型化が可能となる。
【００１８】
【発明の実施の形態】
以下に、本発明記録媒体駆動装置及び記録媒体のチャッキング機構の実施の形態を添付図面を参照して説明する。
【００１９】
なお、図示した実施の形態は、本発明をノート型パーソナルコンピュータに搭載するＣＤ−ＲＯＭドライブにおけるＣＤ−ＲＯＭのチャッキング機構として適用したものである。
【００２０】
そこで、先ず、ＣＤ−ＲＯＭドライブの概要について図１乃至図３によって説明する。
【００２１】
ＣＤ−ＲＯＭドライブ１は上下に偏平で前面に開口した外筐２を備え、該外筐２は下側のボトムシャーシ３と該ボトムシャーシ３の上面に固定されたカバー体４とから成り、このような外筐２に引出部５が収納及び引出可能に支持される。
【００２２】
そして、ボトムシャーシ３の右側部には、底上げされた張り出し部３ａが形成されており、ボトムシャーシがカバー体４により覆われたときに、上記張り出し部３ａ以外の部分が空間６となって、トレイ７が収納されるようになっている。
【００２３】
引出部５は合成樹脂製のトレイ７にベースユニット８が支持されて成る。なお、図示は省略するが、引出部５の外筐に対する収納及び引出のために、引出部５の側面部と外筐２の側部との間にスライド機構が介挿されている。
【００２４】
トレイ７は平面形状で前後方向に長い長方形の外形を有し、その幅は外筐２の空間６の幅より僅かに小さく形成されている。
【００２５】
トレイ７の上面に記録媒体ディスクとしてのＣＤ−ＲＯＭ９を配置する円形の一部を為す凹部１０が形成され、該凹部１０内にベースユニット８を上方へ臨ませるための開口部１１が形成されている。
【００２６】
また、トレイ７の前面には前面パネル１２が取り付けられる。前面パネル１２は合成樹脂で横長の板状に形成され、その左右方向の長さは上記外筐２の左右方向の長さとほぼ同じになっている。
【００２７】
ベースユニット８は、シャーシ１３に各種部品が搭載されて構成されている。
【００２８】
すなわち、シャーシ１３には、ＣＤ−ＲＯＭ９が載置されるターンテーブル１４と、該ターンテーブル１４を回転させるスピンドルモータ１５と、ＣＤ−ＲＯＭ９に記録されている情報の読取を行う光ピックアップ１６と、該光ピックアップ１６をＣＤ−ＲＯＭ９の半径方向に移動自在に支持するガイド軸１７、１８と、光ピックアップ１６を移動させるスレッドモータ１９等が搭載されている。
【００２９】
シャーシ１３は、板金材料からなり、ゴムダンパー２０、２０、２０を介してトレイ７の下面に支持されている。
【００３０】
シャーシ１３にはそのほとんどを占める大きな開口部２１が形成されている。該開口部２１は左前から右後方に向けて延びるほぼ長方形状を為し、その後縁はほぼ左右方向に延びるように他の部分に対して傾斜したピックアップ用開口部２１ａと、該ピックアップ用開口部２１ａの後縁に連続しほぼ半円形を為すターンテーブル用開口部２１ｂと、ピックアップ用開口部２１ａの右前方を向いた側縁のほぼ中央部に連続しほぼ半円強の形状を為すスレッドモータ用開口部２１ｃとが連続して形成されて成る。
【００３１】
そして、上記したターンテーブル１４に本発明が適用されている。
【００３２】
図４乃至図１２は第１の実施の形態を示すものである。
【００３３】
ターンテーブル１００（上記ＣＤ−ＲＯＭドライブ１におけるターンテーブル１４に相当する。）のディスク載置面１０１の中心部に、厚手の円盤状の外形をしたチャックベース１１０が突設され、該チャックベース１１０の外周面１１１はターンテーブル１００の回転中心を中心とした円に沿う面とされている。
【００３４】
該チャックベース１１０には外周面１１１に開口し奥に延びる配置凹部１２０が周方向に等間隔に離間して３個形成されている。
【００３５】
配置凹部１２０は、下面に凸字状の開口を有し、該凸字状の奥の幅狭の部分１２１が下方及び前方に開口されたバネ受け凹部とされ、幅の広い部分１２２が主凹部とされ、該主凹部１２２の上面はそのほぼ中央の３分の１の部分１２２ａが上方へ開口された上方開口部とされ、該上方開口部１２２ａはチャックベース１１０の外周面１１１にまで達している。上記主凹部１２２の前側に連続した前凹部１２３は上記主凹部１２２の幅と同じ幅を有し、下方が下面壁１２３ａによって閉塞され、上記上方開口部１２２ａによって上方に開口し、その前面開口１２３ｂの形状は横長の矩形の底部の両側が側方に行くに従って上方へ変位する円弧状を為すようにされている。
【００３６】
上記の如き配置凹部１２０内にチャックフィン１３０が摺動自在に配置される。
【００３７】
チャックフィン１３０は正面、すなわち、チャックベース１１０の外周面１１１に向かう方向から見て横長の矩形をした厚手の板状を為す基部１３１と、該基部１３１から前方へ突出した押え部１３２と、上記基部１３１及び押え部１３２の上面の幅方向における中央部に前後に亘って突設されると共に基部１３１の後端よりやや後方まで突出した被案内部１３３と、上記基部１３１の下端部の中央部から後方へ突出した後部突起１３４とが一体に形成されて成る。
【００３８】
上記押え部１３２は、その上面１３２ａが上方から見て基部１３１から前方へ突出した半円状を為し、下面１３２ｂが側方から見て前方へ行くに従って上方へ変位する円弧状を、かつ、正面から見て中央が最下端に位置する円弧状を為し、その上面１３２ａは基部１３１の上面と一致し、基部１３１側の下端は基部１３１の下端よりやや上方に位置している。また、下面１３２ｂの前端縁及び左右両端縁は上面１３２ａと一致している。
【００３９】
上記被案内部１３３は、その幅が上記配置凹部１２０の上方開口部１２２ａの幅と同じか僅かに小さく形成され、前端部上面１３３ａは前下がりに傾斜した傾斜面とされ、その前端縁は上記押え部１３２の上面１３２ａに一致している。さらに、該被案内部１３３の後端部は上面から後面にかけて側方から見て円弧状を為す曲面１３３ｂに形成されている。
【００４０】
また、基部１３１の下端部はその下面から前面にかけて側方から見て円弧状を為す曲面１３１ａに形成され、さらに、基部１３１の上端部はその上面から後面にかけて側方から見て円弧状を為す曲面１３１ｂに形成されている。また、基部１３１の後面には位置決め凹部１３１ｃが形成されている。
【００４１】
しかして、上記したチャックフィン１３０がチャックベース１１０の配置凹部１２０内に移動自在に配設される。すなわち、基部１３１が主凹部１２２内において移動自在に配設され、押え部１３２が前凹部１２３を通してその先端部がチャックベース１１０の外周面１１１から突出するように位置され、被案内部１３３が上方開口部１２２ａに摺動自在に係合される。
【００４２】
さらに、弾発部材としてコイルバネ１４０が配置凹部１２０内において配置凹部１２０の奥面とチャックフィン１３０の基部１３１との間で縮設される。該コイルバネ１４０の一端部はチャックフィン１３０の基部１３１の位置決め凹部１３１ｃに内嵌状に位置され、他端部は配置凹部１２０のバネ受け凹部１２１内に内嵌状に位置され、これによって、コイルバネ１４０の両端部の位置が安定する。
【００４３】
しかして、チャックフィン１３０にはコイルバネ１４０によって配置凹部１２０から突出する方向への移動力が付勢され、チャックフィン１３０の同方向への移動は、基部１３１の前面が主凹部１２２の前凹部１２３との境界面、すなわち、前凹部１２３の下面壁１２３ａの主凹部１２２側の端面に当接することによって阻止され、この状態で、押え部１３２の先端部がチャックベース１１０の外周面１１１から突出する（図４参照）。
【００４４】
そして、上記したようにチャックフィン１３０、１３０、１３０及びコイルバネ１４０、１４０、１４０が各配置凹部１２０、１２０、１２０内に配置されたチャックベース１１０がターンテーブル１００のディスク載置面１０１の中心部に固定され、これによって、配置凹部１２０、１２０、１２０の下面が閉塞されて、チャックフィン１３０、１３０、１３０及びコイルバネ１４０、１４０、１４０の配置凹部１２０、１２０、１２０からの脱落が防止される。
【００４５】
次に、ＣＤ−ＲＯＭ９のチャッキングについて説明する。
【００４６】
ＣＤ−ＲＯＭ９がその中心孔９ａがチャックベース１１０に位置合せされた状態でターンテーブル１００のディスク載置面１０１に近づくように移動されてくると、中心孔９ａの開口縁がチャックフィン１３０、１３０、１３０の被案内部１３３、１３３、１３３の傾斜面１３３ａ、１３３ａ、１３３ａに当接する（図４参照）。
【００４７】
ここからさらに、ＣＤ−ＲＯＭ９がディスク載置面１０１に近づくように移動すると、チャックフィン１３０、１３０、１３０にはその先端部が下方へ移動する方向への回動力が付勢され、基部１３１の下端部が下面から前面にかけての曲面１３１ａ、１３１ａ、１３１ａになっていると共に、基部１３１の上端部が上面から後面にかけての曲面１３１ｂ、１３１ｂ、１３１ｂになっていることから、チャックフィン１３０、１３０、１３０は下側の曲面１３１ａ、１３１ａ、１３１ａがターンテーブル１００の上面を滑るようにして、また、上側の曲面１３１ｂ、１３１ｂ、１３１ｂが主凹部１２２の天井面を滑るようにしてコイルバネ１４０、１４０、１４０を圧縮しながらその前端部が下方へ移動するように回動し（図１１参照）、これによって、ＣＤ−ＲＯＭ９がディスク載置面１０１に当接する位置まで移動することができる。
【００４８】
そして、ＣＤ−ＲＯＭ９がターンテーブル１００のディスク載置面１０１に当接すると、チャックフィン１３０、１３０、１３０はコイルバネ１４０、１４０、１４０によって付勢されている力によってその前端部が上方へ移動するように回動し、かつ、その押え部１３２、１３２、１３２の下面１３２ｂ、１３２ｂ、１３２ｂがＣＤ−ＲＯＭ９の中心孔９ａの上側開口縁を押圧してＣＤ−ＲＯＭ９をターンテーブル１００のディスク載置面１０１に押し付け、チャッキングが完了する（図１２参照）。
【００４９】
ＣＤ−ＲＯＭ９をターンテーブル１００から取り外すときは、図１２に示すチャッキングされている状態から、ＣＤ−ＲＯＭ９をディスク載置面１０１から離間する方向に移動させる。
【００５０】
すると、ＣＤ−ＲＯＭ９の中心孔９ａの開口縁がチャックフィン１３０、１３０、１３０の押え部１３２、１３２、１３２の下面１３２ｂ、１３２ｂ、１３２ｂを押圧し、これによって、チャックフィン１３０、１３０、１３０はコイルバネ１４０、１４０、１４０を縮設させながらチャックベース１１０内へ引っ込むように移動し、ＣＤ−ＲＯＭ９のディスク載置面１０１から離間する方向への移動を許容する（図１３参照）。
【００５１】
そこで、ＣＤ−ＲＯＭ９をディスク載置面１０１から離間する方向へさらに移動させれば、ＣＤ−ＲＯＭ９をターンテーブル１００から取り外すことができる。
【００５２】
従来のように、チャックフィンがチャックベース内に引っ込むように移動してＣＤ−ＲＯＭの通過を許容する場合は、ＣＤ−ＲＯＭの移動方向に対して直交する方向へチャックフィンを移動させることになり、力の伝達ロスが大きく、従って、ＣＤ−ＲＯＭを強い力でターンテーブルの方向へ移動させなければならないが、上記した第１の実施の形態にかかるＣＤ−ＲＯＭのチャッキング機構にあっては、上記のように、チャックフィン１３０、１３０、１３０が回動してＣＤ−ＲＯＭ９の移動を許容するようにすることによって、より小さい力でＣＤ−ＲＯＭ９を移動させるだけで、ＣＤ−ＲＯＭ９をターンテーブル１００にチャッキングさせることができる。従って、ＣＤ−ＲＯＭ９の装着を容易に行なうことが出来、また、ＣＤ−ＲＯＭドライブ１の各部の強度を大きくする必要が無い。さらに、ＣＤ−ＲＯＭの装着を容易にするために、コイルバネの強度を弱くする必要が無いので、ＣＤ−ＲＯＭ９のチャッキング強度が低下することが無く、高速回転に対応することが出来る。また、チャックフィン１３０の上側の傾斜面の高さを低くできるので、チャックベース１１０の薄型化が可能になり、ＣＤ−ＲＯＭドライブ１を薄型化できる。
【００５３】
なお、ＣＤ−ＲＯＭ９をターンテーブル１００から取り外すときは、チャックフィン１３０、１３０、１３０は、基部１３１及び押え部１３２の上面１３２ａがチャックベース１１０の上方開口部１２２ａ、１２２ａ、１２２ａに隣接する上面部に当接していて、チャッキング時のように回動することはない。したがって、ＣＤ−ＲＯＭ９がターンテーブル１００から外れる方向への移動には強い力を要することになり、コイルバネ１４０の強度を強くしなくても必要なチャッキング強度を維持することが出来、この点でも、高速回転に対応することが出来る。
【００５４】
図１４乃至図２２は本発明記録媒体駆動装置及び記録媒体のチャッキング機構の第２の実施の形態を示すものである。
【００５５】
ターンテーブル４００（上記ＣＤ−ＲＯＭドライブ１におけるターンテーブル１４に相当する。）のディスク載置面４０１の中心部に、厚手の円盤状の外形をしたチャックベース４１０が突設され、該チャックベース４１０の外周面４１１はターンテーブル４００の回転中心を中心とした円に沿う面とされている。
【００５６】
該チャックベース４１０には外周面４１１に開口し奥に延びる配置凹部４２０が周方向に等間隔に離間して３個形成されている。
【００５７】
該配置凹部４２０は、上記第１の実施の形態における配置凹部１２０と同様のものであり、下面に凸字状の開口を有し、該凸字状の奥の幅狭の部分４２１が下方及び前方に開口されたバネ受け凹部とされ、幅の広い部分４２２が主凹部とされ、該主凹部４２２の上面はそのほぼ中央の３分の１の部分４２２ａが上方へ開口された上方開口部とされ、該上方開口部４２２ａはチャックベース４１０の外周面４１１にまで達している。上記主凹部４２２の前側に連続した前凹部４２３は上記主凹部４２２の幅と同じ幅を有し、下方が下面壁４２３ａによって閉塞され、上記上方開口部４２２ａによって上方に開口し、その前面開口４２３ｂの形状は横長の矩形の底部の両側が側方に行くに従って上方へ変位する円弧状を為すようにされている。
【００５８】
上記の如き配置凹部４２０内にチャックフィン４３０が摺動自在に配置される。
【００５９】
チャックフィン４３０は正面、すなわち、チャックベース４１０の外周面４１１に向かう方向から見て横長の矩形をした厚手の板状を為す基部４３１と、該基部４３１から前方へ突出した押え部４３２と、上記基部４３１及び押え部４３２の上面の幅方向における中央部に前後に亘って突設されると共に基部４３１の後端よりやや後方まで突出した被案内部４３３とが一体に形成されて成る。
【００６０】
上記押え部４３２は、その上面４３２ａが上方から見て基部４３１から前方へ突出した半円状を為し、下面４３２ｂが側方から見て前方へ行くに従って上方へ変位する円弧状を、かつ、正面から見て中央が最下端に位置する円弧状を為し、その上面４３２ａは基部４３１の上面と一致し、基部４３１側の下端は基部４３１の下端よりやや上方に位置している。また、下面４３２ｂの前端縁及び左右両端縁は上面４３２ａと一致している。
【００６１】
上記被案内部４３３は、その幅が上記配置凹部４２０の上方開口部４２２ａの幅と同じか僅かに小さく形成され、前端部上面４３３ａは前下がりに傾斜した傾斜面とされ、その前端縁は上記押え部４３２の上面４３２ａに一致している。さらに、該被案内部４３３の後端部は上面から後面にかけて側方から見て円弧状を為す曲面４３３ｂに形成されている。
【００６２】
また、基部４３１の下端部にはその下面から前面にかけて側方から見て円弧状を為す曲面４３１ａ及び下面から後面にかけて側方から見て円弧状を為す曲面４３１ｂが形成され、さらに、基部４３１の上端部にはその上面から後面にかけて側方から見て円弧状を為す曲面４３１ｃが形成されている。
【００６３】
しかして、上記したチャックフィン４３０がチャックベース４１０の配置凹部４２０内に移動自在に配設される。すなわち、基部４３１が主凹部４２２内において移動自在に配設され、押え部４３２が前凹部４２３を通してその先端部がチャックベース４１０の外周面４１１から突出するように位置され、被案内部４３３が上方開口部４２２ａに摺動自在に係合される。
【００６４】
さらに、弾発部材としてコイルバネ４４０が配置凹部４２０内において配置凹部４２０の奥面とチャックフィン４３０の基部４３１との間で縮設される。該コイルバネ４４０の一端部はチャックフィン４３０の基部４３１の後面に弾接され、他端部は配置凹部４２０のバネ受け凹部４２１内に内嵌状に位置される。
【００６５】
しかして、チャックフィン４３０にはコイルバネ４４０によって配置凹部４２０から突出する方向への移動力が付勢され、チャックフィン４３０の同方向への移動は、基部４３１の前面が主凹部４２２の前凹部４２３との境界面、すなわち、前凹部４２３の下面壁４２３ａの主凹部４２２側の端面に当接することによって阻止され、この状態で、押え部４３２の先端部がチャックベース４１０の外周面４１１から突出する（図１４参照）。
【００６６】
そして、上記したようにチャックフィン４３０、４３０、４３０及びコイルバネ４４０、４４０、４４０が各配置凹部４２０、４２０、４２０内に配置されたチャックベース４１０がターンテーブル４００のディスク載置面４０１の中心部に固定され、これによって、配置凹部４２０、４２０、４２０の下面が閉塞されて(図１４参照)、チャックフィン４３０、４３０、４３０及びコイルバネ４４０、４４０、４４０の配置凹部４２０、４２０、４２０からの脱落が防止される。
【００６７】
次に、ＣＤ−ＲＯＭ９のチャッキングについて説明する。
【００６８】
ＣＤ−ＲＯＭ９がその中心孔９ａがチャックベース４１０に位置合せされた状態でターンテーブル４００のディスク載置面４０１に近づくように移動されてくると、中心孔９ａの開口縁がチャックフィン４３０、４３０、４３０の被案内部４３３、４３３、４３３の傾斜面４３３ａ、４３３ａ、４３３ａに当接する（図１９参照）。
【００６９】
ここからさらに、ＣＤ−ＲＯＭ９がディスク載置面４０１に近づくように移動すると、チャックフィン４３０、４３０、４３０にはその先端部が下方へ移動する方向への回動力が付勢され、基部４３１の下端部の前端部が下面から前面にかけての曲面４３１ａ、４３１ａ、４３１ａになっていると共に、基部４３１の上端部の後端部が上面から後面にかけての曲面４３１ｃ、４３１ｃ、４３１ｃになっていることから、チャックフィン４３０、４３０、４３０は下側の曲面４３１ａ、４３１ａ、４３１ａがターンテーブル４００の上面を滑るようにして、また、上側の曲面４３１ｃ、４３１ｃ、４３１ｃが主凹部４２２の天井面を滑るようにしてコイルバネ４４０、４４０、４４０を圧縮しながらその前端部が下方へ移動するように回動し（図２０参照）、これによって、ＣＤ−ＲＯＭ９がディスク載置面４０１に当接する位置まで移動することができる。
【００７０】
そして、ＣＤ−ＲＯＭ９がターンテーブル４００のディスク載置面４０１に当接すると、チャックフィン４３０、４３０、４３０はコイルバネ４４０、４４０、４４０によって付勢されている力によってその前端部が上方へ移動するように回動し、かつ、その押え部４３２、４３２、４３２の下面４３２ｂ、４３２ｂ、４３２ｂがＣＤ−ＲＯＭ９の中心孔９ａの上側開口縁を押圧してＣＤ−ＲＯＭ９をターンテーブル４００のディスク載置面４０１に押し付け、チャッキングが完了する（図２１参照）。
【００７１】
ＣＤ−ＲＯＭ９をターンテーブル４００から取り外すときは、図２１に示すチャッキングされている状態から、ＣＤ−ＲＯＭ９をディスク載置面４０１から離間する方向に移動させる。
【００７２】
すると、ＣＤ−ＲＯＭ９の中心孔９ａの開口縁がチャックフィン４３０、４３０、４３０の押え部４３２、４３２、４３２の下面４３２ｂ、４３２ｂ、４３２ｂを上方へ向けて押圧し、これによって、チャックフィン４３０、４３０、４３０にはその先端部が上方へ移動する方向への回動力が付勢され、基部４３１、４３１、４３１の下端部の後端部が下面から後面にかけての曲面４３１ｂ、４３１ｂ、４３１ｂになっていることから、該曲面４３１ｂ、４３１ｂ、４３１ｂがターンテーブル４００の上面を滑るようにして、コイルバネ４４０、４４０、４４０を圧縮しながらその前端部が上方へ移動するように回動して(図２２参照)、ＣＤ−ＲＯＭ９のディスク載置面４０１から離間する方向への移動を許容する。
【００７３】
そこで、ＣＤ−ＲＯＭ９をディスク載置面４０１から離間する方向へさらに移動させれば、ＣＤ−ＲＯＭ９をターンテーブル４００から取り外すことができる。
【００７４】
この第２の実施の形態にかかるチャッキング機構にあっては、チャッキング時のみならず、ＣＤ−ＲＯＭ９をターンテーブル４００から取り外すときも、チャックフィン４３０、４３０、４３０が回動してＣＤ−ＲＯＭ９のディスク載置面４０１から離間する方向への移動を許容するので、チャッキング時ばかりでなく、取外し時にも大きな力を必要としない。
【００７５】
尚、上記した各実施の形態においては、本発明をＣＤ−ＲＯＭドライブにおけるＣＤ−ＲＯＭのチャッキング機構として適用したものを示したが、本発明はこのようなものに限らず、例えば、ＣＤ-Ｒ、ＤＶＤ等その他の記録媒体ディスクのチャッキング機構として広く適用することができるものである。
【００７６】
【発明の効果】
以上に記載したところから明らかなように、本発明記録媒体駆動装置及び記録媒体のチャッキング機構は、記録媒体を支持して駆動する駆動機構に上記記録媒体を保持し、上記駆動機構の記録媒体載置面の中心部に記録媒体の中心孔を嵌合支持するチャックベースを突設させ、該チャックベースに複数の押圧部をチャックベースの半径方向に移動自在に設けると共に、上記押圧部の一部がチャックベースの外周面から突出するように弾発付勢する弾発部材を設け、上記押圧部は、その先端が上記記録媒体載置面から離れる方向へは回動不能にされ、上記記録媒体を上記チャッキング機構から取り外すときは、上記押圧部の先端部が上記記録媒体の中心孔の開口縁に押圧されて上記弾発部材による付勢力に抗してチャックベース内へ引っ込むように移動し、上記記録媒体の上記記録媒体載置面から離間する方向への移動を許容するようにされると共に、上記押圧部は、その先端が上記記録媒体載置面の方向へは回動可能にされ、上記記録媒体を上記駆動機構に装着するときは、上記押圧部の先端部が上記記録媒体の中心孔の開口縁に押圧されて回動し、上記記録媒体の上記記録媒体載置面の方向への移動を許容するようにされたことを特徴とする。
【００７７】
従って、記録媒体をチャッキング機構から取り外すときには、押圧部の先端部が記録媒体の中心孔の開口縁に押圧されて弾発部材による付勢力に抗してチャックベース内へ引っ込むように移動し、記録媒体の記録媒体載置面から離間する方向への移動を許容すると共に、記録媒体を駆動機構に装着するときは、押圧部の先端部が記録媒体の中心孔の開口縁に押圧されて回動し、記録媒体の記録媒体載置面の方向への移動を許容するので、記録媒体の取り外し及び装着のために大きな力を必要としない。そのために、記録媒体のチャッキング機構からの取り外し及び駆動機構への装着をより簡単に行なうことができると共に、装置の各部の剛性を低くすることが出来、そのために、装置の小型化及び薄型化が可能となる。
【００８１】
尚、上記した各実施の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【図１】  図１乃至図３は本発明記録媒体駆動装置及び記録媒体のチャッキング機構を適用したＣＤ−ＲＯＭドライブの一例を示すものであり、本図は引出部を引き出した状態を示す斜視図である。
【図２】  概略分解斜視図である。
【図３】  ベースユニットを示す拡大平面図である。
【図４】  図５乃至図１３と共に本発明記録媒体駆動装置及び記録媒体のチャッキング機構の第１の実施の形態を示すものであり、本図はＣＤ−ＲＯＭがターンテーブルに載置され始める状態を一部を切り欠いて示す拡大側面図である。
【図５】  １のチャックフィン及びコイルバネを除いた状態で示すチャックベースの平面図である。
【図６】  １のチャックフィン及びコイルバネを除いた状態で示すチャックベースの底面図である。
【図７】  図５のＡ視図である。
【図８】  チャックフィンの拡大斜視図である。
【図９】  チャックフィンの別の方向から見た拡大斜視図である。
【図１０】  チャックフィンの拡大縦断面図である。
【図１１】  ＣＤ−ＲＯＭがチャッキングされる過程を示す一部切欠き拡大側面図であり、本図は図４に続く状態を示すものである。
【図１２】  ＣＤ−ＲＯＭがチャッキングされた状態を示すものである。
【図１３】  ＣＤ−ＲＯＭがターンテーブルから取り外される途中の状態を示す一部切欠き拡大側面図である。
【図１４】  図１５乃至図２２と共に本発明記録媒体駆動装置及び記録媒体のチャッキング機構の第２の実施の形態を示すものであり、本図は一部を切り欠いて示す側面図である。
【図１５】  １のチャックフィン及びコイルバネを除いた状態で示すチャックベースの平面図である。
【図１６】  １のチャックフィン及びコイルバネを除いた状態で示すチャックベースの底面図である。
【図１７】  チャックフィンの拡大斜視図である。
【図１８】  チャックフィンの別の方向から見た拡大斜視図である。
【図１９】  図２０及び図２１と共にＣＤ−ＲＯＭがチャッキングされる過程を示す一部切欠拡大側面図であり、本図はＣＤ−ＲＯＭがチャックフィンに接触した状態を示すものである。
【図２０】  チャックフィンが回動してＣＤ−ＲＯＭの通過を許容する状態を示すものである。
【図２１】  ＣＤ−ＲＯＭがチャッキングされた状態を示すものである。
【図２２】  ＣＤ−ＲＯＭがターンテーブルから取り外される過程でチャックフィンが回動してＣＤ−ＲＯＭの通過を許容する状態を示す一部切欠側面図である。
【図２３】  図２４及び図２５と共に従来の記録媒体ディスクのチャッキング機構の一例を示す一部を切り欠いた側面図であり、本図は記録媒体ディスクがチャッキングされる前の状態を示すものである。
【図２４】  図２８に続く状態を示すものである。
【図２５】  記録媒体ディスクがチャッキングされた状態を示すものである。
【符号の説明】
９…ＣＤ−ＲＯＭ（記録媒体）、９ａ…中心孔、１０１…ディスク載置面（記録媒体載置面）、１１０…チャックベース、１３０…チャックフィン（押圧部）、１４０…コイルバネ（弾発部材）、４０１…ディスク載置面（記録媒体載置面）、４１０…チャックベース、４３０…チャックフィン（押圧部）、４４０…コイルバネ（弾発部材）
【図１】
0003918297.tif 000002
【図２】
0003918297.tif 000003
【図３】
0003918297.tif 000004
【図４】
0003918297.tif 000005
【図５】
0003918297.tif 000006
【図６】
0003918297.tif 000007
【図７】
0003918297.tif 000008
【図８】
0003918297.tif 000009
【図９】
0003918297.tif 000010
【図１０】
0003918297.tif 000011
【図１１】
0003918297.tif 000012
【図１２】
0003918297.tif 000013
【図１３】
0003918297.tif 000014
【図１４】
0003918297.tif 000015
【図１５】
0003918297.tif 000016
【図１６】
0003918297.tif 000017
【図１７】
0003918297.tif 000018
【図１８】
0003918297.tif 000019
【図１９】
0003918297.tif 000020
【図２０】
0003918297.tif 000021
【図２１】
0003918297.tif 000022
【図２２】
0003918297.tif 000023
【図２３】
0003918297.tif 000024
【図２４】
0003918297.tif 000025
【図２５】
0003918297.tif 000026